(57)【要約】【課題】音声伝送路の敷設コスト及びメンテナンス・コストを低減させる。【解決手段】無線子機１１４が基地局（Ａ）１１２を介して交換局１０１に対して放送コンテンツの送信を要求し、交換局が放送コンテンツを基地局を介して無線子機に対して送信して無線子機が放送コンテンツを視聴可能に再生する。無線子機が基地局を介して交換局に対して放送コンテンツのコードレスＡＶ出力端末１１５への転送を要求し、交換局が放送コンテンツをコードレスＡＶ出力端末に転送してコードレスＡＶ出力端末が放送コンテンツを放送する。【選択図】        図１
2004320588.tif 000002
【特許請求の範囲】
【請求項１】
無線子機が基地局を介して交換局に対して放送コンテンツの送信を要求し、前記交換局が前記放送コンテンツを前記基地局を介して前記無線子機に対して送信して前記無線子機が前記放送コンテンツを視聴可能に再生する放送コンテンツ視聴手段と、
前記無線子機が前記基地局を介して前記交換局に対して前記放送コンテンツの放送端末への転送を要求し、前記交換局が前記放送コンテンツを前記放送端末に転送して前記放送端末が前記放送コンテンツを放送する放送コンテンツ転送手段とを、有する構内放送システム。
【請求項２】
前記無線子機が前記基地局を介して前記交換局に対して前記放送コンテンツの音量レベルに関する情報を送信し、前記交換局が前記放送コンテンツを前記音量レベルに関する情報で前記放送端末に転送することを特徴とする請求項１に記載の構内放送システム。
【発明の詳細な説明】
【０００１】
【発明の属する技術分野】
本発明は、ＬＡＮを基幹網とする構内コードレス電話システムにおいて構内放送システムの機能を実現する構内放送システムに関する。
【０００２】
【従来の技術】
現在、構内における放送システムは様々な形態で発展している。例えば、有線であれば同軸ケーブル、専用線などのアナログ手段に加え、近年ではＬＡＮを利用するなどデジタル化も急がれている。また、ＦＭ波による無線回線を使用したものもあり、これは野外で使用することも可能となっている。これらの手段は、防災用、呼び出し、各種案内、ＢＧＭなどの用途で使用されている。
【０００３】
以下、これら従来例として、ＦＭ波を利用した放送システムについて図６を参照して説明する。まず、トランスミッタ６０１は、マイク６０５やメディアプレーヤ６０４から入力した音声信号をＦＭ波として出力する機能を有し、その内部は、各種入力手段を有し、入力した音声信号のレベル調整を行うＩ／Ｆ回路６０２と、音声信号をＦＭ波に変調してアンテナにより空間中に出力するＦＭ送信部６０３から構成される。
【０００４】
また、レシーバ６０６は、受信したＦＭ波から音声信号を復調して出力する機能を有し、その内部はアンテナよりＦＭ波をチューニングし、音声信号を復調して取り出すＦＭ受信部６０７と、音声信号を増幅するアンプ６０８と、増幅された音声信号を出力するスピーカ６０９から構成される。
【０００５】
上記構成において、まず、オペレータがマイク６０５に向かって放送内容を話す際、トランスミッタ６０１が送信ボタンを有し、これを押しながら話すのが一般的である。トランスミッタ６０１内では、Ｉ／Ｆ回路６０２がマイク音声を取得し、所定の電気信号に変換する。次にＦＭ送信部６０３は、Ｉ／Ｆ回路６０２が出力したマイク音声信号をＦＭ波に変調し、アンテナを介して空間中に放出する。
【０００６】
次に、レシーバ６０６側は、いわゆるＦＭラジオ的機能を有するものであり、ＦＭ受信部６０７はアンテナより入力した電波から所望の音声をチューニングし、アンプ６０８はＦＭ受信部６０７が出力した音声信号を増幅し、スピーカ６０９は増幅された音声信号を空間中に放出する。以上により、簡単な構成でワイヤレスの放送システムを実現することができ、設備の設置性が向上し、屋外使用も可能となる。なお、上記例ではマイク音声を送信したが、テープレコーダやＣＤプレーヤなどのメディアプレーヤ６０４の出力をトランスミッタ６０１が入力し、ＦＭ波として出力することもできる。
【０００７】
しかしながら、図６のシステムでは、一般的なＦＭ波を用いているため、ノイズの影響を受けやすく、部外者が簡単に受信することができ、セキュリティ用途への応用ができない。また、複数チャネルの放送を送信し、レシーバ６０６ごとに異なる音声を放送させるためには、レシーバ６０６ごとに手作業でチューニングを行わなければならず、レシーバ６０６が高所などに設置されていた場合には調整が困難である。出力音声の調整やチャネル切換え時も同様の問題が発生する。
【０００８】
ところで、他の従来例として、ＬＡＮを基幹網とした構内コードレス電話網による放送装置として、下記の特許文献１には食堂メニューや時刻表などの文字放送的ドキュメントを放送する方法が開示されている。
【０００９】
また、他の従来例として、下記の特許文献２では、構内コードレス電話網と、駅構内のスピーカによる音声放送網や各種運営通信網を複合化させたシステムとして、無線交換機を中心に複数の基地局、スピーカ、有線電話が接続されており、子機から入力した音声が無線交換機を経由してスピーカに伝達され、出力される構成が開示されている。
【００１０】
また、他の従来例として、下記の特許文献３には、ネットワーク技術を応用した例として、ＬＡＮを基幹網とし、インターネット・プロトコルにより音声データを双方向、多チャネルで伝送する技術を利用し、専用電話網の敷設コストを低減させ、高価な交換機を導入することなく、回線数の変更に柔軟に対応するコードレス構内電話システムが開示されている。
【００１１】
【特許文献１】
特開平１０−１７３７８５号公報
【特許文献２】
特開２０００−３１６１８６号公報
【特許文献３】
特開平１０−３０８９６６号公報
【００１２】
【発明が解決しようとする課題】
しかしながら、特許文献１はＡＶリアルタイム・コンテンツを提供するものではなく、またその手段は、無線回線内の制御チャネルを用いてデータ送信を行うものであり、ある一定のデータ伝送容量を必要とするＡＶリアルタイム・コンテンツを送信することができない。また、特許文献２では、スピーカへの音声伝達は生のアナログ音声、あるいはデジタル音声であり、そのためには無線交換機側で符号化された音声のデコードやＤ／Ａ変換を行わなければならない。よって、無線交換機が高価となり、大型化せざるを得ない。
【００１３】
本発明は上記従来例の問題点に鑑み、音声伝送路の敷設コスト及びメンテナンス・コストを低減させることが可能となり、特に交換局においてはパソコンで機能を実現することができて、システムの小規模化が可能な構内放送システムを提供することを目的とする。
【００１４】
【課題を解決するための手段】
本発明は上記目的を達成するために、コードレス電話システムを基として放送システムを実現するようにしたものである。
すなわち本発明によれば、無線子機が基地局を介して交換局に対して放送コンテンツの送信を要求し、前記交換局が前記放送コンテンツを前記基地局を介して前記無線子機に対して送信して前記無線子機が前記放送コンテンツを視聴可能に再生する放送コンテンツ視聴手段と、
前記無線子機が前記基地局を介して前記交換局に対して前記放送コンテンツの放送端末への転送を要求し、前記交換局が前記放送コンテンツを前記放送端末に転送して前記放送端末が前記放送コンテンツを放送する放送コンテンツ転送手段とを、
有する構内放送システムが提供される。
【００１５】
【発明の実施の形態】
以下、図面を参照して本発明の実施の形態について説明する。図１は本発明に係る構内放送システムの第１の実施の形態を示すブロック図、図２は図１の構内放送システムの通信シーケンスを概略的に示すフローチャート、図３及び図４は図１の構内放送システムの通信シーケンスを詳しく示す説明図、図５は図１の交換局の動作を説明するためのフローチャートである。
【００１６】
ところで、本出願人は特許文献３に示されるように、ネットワーク技術を応用した発明について特許出願を行っている。これは、ＬＡＮを基幹網とし、インターネット・プロトコルにより音声データを双方向、多チャネルで伝送する技術を利用し、専用電話網の敷設コストを低減させ、高価な交換機を導入することなく、回線数の変更に柔軟に対応するコードレス構内電話システムを実現したものである。
【００１７】
本発明は、このようなコードレス構内電話システムを基としてＡＶコンテンツサービスを実現できる放送システムであり、図６におけるレシーバ６０６的役割を果たすのは無線インターフェース（Ｉ／Ｆ）１１６を有するコードレスＡＶ出力端末１１５であり、放送用音声を出力するトランスミッタ６０１的役割を果たすのは音声のみならず映像コンテンツを出力でき、ＬＡＮインターフェース（Ｉ／Ｆ）１０８を有する交換局１０１であり、更にＬＡＮ通信と無線通信の変換を行う基地局（Ａ）１１２、基地局（Ｂ）１１３を設け、交換局１０１からコードレスＡＶ出力端末１１５に放送するコンテンツの伝達は、内線電話の発呼、着呼手順により回線接続した後、行うことを基本手順とする。
【００１８】
＜放送コンテンツ視聴手段＞
そして、任意のコードレスＡＶ出力端末１１５に、任意の放送コンテンツを出力させる手段として、本システムに内線登録した子機１１４を使用して、所望の放送コンテンツに対応した内線番号で発呼すると、無線回線、基地局（Ａ）１１２、ＬＡＮ１２１を経由して交換局１０１に着呼し、交換局１０１は上記内線番号を取得し、取得した内線番号を内線テーブル１０３と照合し、対応する放送コンテンツＡ、Ｂ、Ｃを、放送コンテンツを入力する手段により入力し、更にデジタル化、圧縮処理を施した後、通信パケット化し、ＬＡＮ１２１を経由して基地局（Ａ）１１２に送信し、基地局（Ａ）１１２は無線回線を経由して子機１１４に送信し、子機１１４は取得した放送コンテンツを音声はスピーカ（不図示）、映像は表示装置（不図示）に出力して使用者に視聴させる。
【００１９】
＜放送コンテンツ転送手段＞
次に、上記の放送コンテンツ視聴手段により視聴中、子機１１４の使用者がコードレスＡＶ出力端末１１５の内線番号で転送発呼すると、無線回線、基地局（Ａ）１１２、ＬＡＮ１２１を経由して交換局１０１に着呼し、交換局１０１は上記内線番号を取得し、取得した内線番号を内線テーブル１０３と照合し、指定されたコードレスＡＶ出力端末１１５が通信可能な基地局（Ｂ）１１３、及びその基地局アドレスを取得し、ＬＡＮ１２１を経由して基地局（Ｂ）１１３に発呼し、基地局（Ｂ）１１３は無線回線を経由してコードレスＡＶ出力端末１１５に発呼し、コードレスＡＶ出力端末１１５は着呼し、子機１１４の使用者が切断することにより、交換局１０１は、子機１１４に向けて送信していた放送コンテンツをコードレスＡＶ出力端末１１５に送信先を変更して送信し、基地局（Ｂ）１１３を経由して放送コンテンツを取得したコードレスＡＶ出力端末１１５においては、無線インターフェース１１６が取得した放送コンテンツデータにおける音声データをデコードし、アナログ信号化し、増幅し、出力し、また、無線インターフェース１１６が取得した放送コンテンツデータにおける映像データをデコードし、表示する。
【００２０】
＜放送コンテンツ変更手段＞
さらに、コードレスＡＶ出力端末１１５が放送コンテンツを出力している状態において、コードレスＡＶ出力端末１１５へ出力させる放送コンテンツを変更させる手段として、子機１１４の使用者が、コードレスＡＶ出力端末１１５が出力している放送コンテンツと異なる放送コンテンツの内線番号で発呼し、所望の放送コンテンツを子機１１４が取得した後、放送コンテンツ出力中のコードレスＡＶ出力端末１１５に対して転送を行うと、交換局１０１は出力中であった放送コンテンツのため回線接続を切断した後、転送する放送コンテンツで回線接続するための発呼をコードレスＡＶ出力端末１１５に対して行い、コードレスＡＶ出力端末１１５が着呼して放送コンテンツを取得する。
【００２１】
＜放送コンテンツ音量変更手段＞
さらに、コードレスＡＶ出力端末１１５が出力する放送コンテンツの音量レベルを調整する手段として、子機１１４が取得した放送コンテンツをコードレスＡＶ出力端末１１５に転送する場合、コードレスＡＶ出力端末１１５の内線番号とともに、レベル調整のための符号を付加させて転送実行すると、交換局１０１は所望の放送を取得すると共に、上記符号に応じて音量をレベル調整した後、コードレスＡＶ出力端末１１５に送信する。
【００２２】
＜集中放送制御手段＞
さらに、交換局１０１側において、複数のコードレスＡＶ出力端末１１５への放送コンテンツ送信を集中的に制御する手段として、各コードレスＡＶ出力端末１１５に出力させる放送コンテンツの種類と、時間的スケジュールを保持したテーブル（ＨＤＤ１０４）を有する交換局１０１が、テーブルの内容に基づき各コードレスＡＶ出力端末１１５に発呼し、放送を出力し、テーブルの内容に基づき各コードレスＡＶ出力端末１１５との接続を切断する。
【００２３】
以下、各ブロックについて詳しく説明する。まず、交換局１０１は、以下のブロックで構成される。交換制御部１０２は、基地局（Ａ）１１２、基地局（Ｂ）１１３とＬＡＮ１２１を介して通信を行い、子機１１４及びコードレスＡＶ出力端末１１５との回線接続制御を行う機能部であり、ＣＰＵなどで構成される。内線テーブル１０３は、基地局（Ａ）１１２、基地局（Ｂ）１１３のアドレスを管理し、更に内線登録した子機１１４、コードレスＡＶ出力端末１１５の内線番号及びこれらが通信可能な基地局を管理し、更に放送コンテンツの種類ごとに割り振った内線番号を管理する（例  ０００１：マイク、０００２：ＴＶ放送、０００３：ＣＤプレーヤ、…）。これは交換制御部１０２内のメモリ上に展開してもよいし、ＨＤＤ１０４上に持たせても良い。
【００２４】
Ａ／Ｄ変換部１０５は、マイク１０９、メディアプレーヤ１１０、チューナ１１１などの各種コンテンツを入力し、デジタル信号に変換する。これは専用ＬＳＩで実現される。符号変換部（１）１０６は、デジタル信号に変換されたコンテンツデータを、受信側である子機１１４、コードレスＡＶ出力端末１１５が取得できるフォーマットに変換する機能を有する。これは専用ＬＳＩで実現される。
例えば、音声に関しては子機１１４がＰＨＳであればＡＤＰＣＭフォーマットに変換し、映像に関しては、例えばＭＰＥＧフォーマットに変換する。
【００２５】
パケット制御部１０７は交換局１０１と基地局（Ａ）１１２、基地局（Ｂ）１１３がデータ通信を行うプロトコルに合わせて通信データをパケット化する機能部であり、インターネット・プロトコルによりデータ通信を行う場合、一般的に音声データはＵＤＰ、制御用データはＴＣＰのパケットにより通信を行う。これはソフトウェアで実現可能である。ＬＡＮインターフェース１０８は、外部への送信データをパケット化してＬＡＮ１２１上に出力したり、ＬＡＮ１２１上から通信パケットを入力して受信データを生成したりするインターフェースであり、ＭＡＣ−ＬＳＩ及びＰＨＹ−ＬＳＩなどで構成される。ＨＤＤ１０４は交換局内で扱うデータを蓄積する機能部であり、内線テーブル１０３、制御用ソフトウェア、ＯＳなどを蓄積したり、放送コンテンツをデジタル化して蓄積したりさせてもよい。なお、以上の交換局１０１は一般のＰＣで実現することも可能である。
【００２６】
次に、コードレスＡＶ出力端末１１５は、以下のブロックで構成される。無線Ｉ／Ｆ１１６は基地局（Ａ）１１２、基地局（Ｂ）１１３と無線回線により通信を行うためのインターフェースである。アンプ１１８は無線Ｉ／Ｆ１１６が出力する音声（受信音）のエネルギーを増幅するものである。スピーカ１１９は増幅された音声（受信音）を空間に伝えるものである。仮に、無線Ｉ／Ｆ１１６を一般のコードレス電話機で実現した場合、アンプとスピーカは内蔵されてはいるが、放送用途の場合は大きなエネルギーを必要とするため、専用の増幅回路、スピーカを用いるのが望ましい。また、符号変換部（２）１１７は、無線Ｉ／Ｆ１１６が受信した符号化コンテンツデータをデコードする機能を有する。また、表示部１２０は、デコードされた映像データを表示する機能を有する。これは例えば液晶パネルで実現される。
【００２７】
子機１１４は一般のデジタルコードレス電話機であり、例えば現在のＰＨＳ端末は自営モードにより構内コードレス電話の子機として使用することができる。基地局（Ａ）１１２、基地局（Ｂ）１１３は有線通信路と無線通信路の変換を行う機能部であり、主にＬＡＮインターフェースと無線インターフェースで構成される（図示せず）。また、メディアプレーヤ１１０は一般の各種録音メディア（ＣＤ、ＭＤ、カセットテープなど）の再生機であり、アナログ出力端子がついていればよい。また、チューナ１１１は各種受信機（ＦＭ、ＡＭ、有線放送、ＣＡＴＶなど）であり、アナログ出力端子がついていればよい。
【００２８】
次に、上記の構成による構内放送システムの動作原理について図２を用いて説明する。なお、図２では、放送コンテンツＡ、Ｂ、Ｃのうち、子機１１４を持った使用者がコンテンツＢをコードレスＡＶ出力端末１１５に出力させることを欲しているとする。まず、使用者は子機１１４からコンテンツＢの内線番号で発呼する（ステップＳ１０１）。交換局１０１はこれを着呼し（ステップＳ１０２）、次いでコンテンツＢの情報を取得して子機１１４に対して送信する（ステップＳ１０３）。この情報を受信した子機１１４はその内容を出力し、使用者に確認させる（ステップＳ１０４）。
【００２９】
コンテンツＢの内容を確認した使用者は、コードレスＡＶ出力端末１１５の内線番号で転送を行う（ステップＳ１０５）。交換局１０１はこれを受け付け、コンテンツＢの出力を中断、保留扱いとし（ステップＳ１０６）、コードレスＡＶ出力端末１１５に発呼し（ステップＳ１０７）、コードレスＡＶ出力端末１１５がこれに着呼応答する（ステップＳ１０８）。応答を確認した交換局１０１は子機１１４とコードレスＡＶ出力端末１１５を接続することで（ステップＳ１０９）、子機１１４とコードレスＡＶ出力端末１１５間で回線が繋がる（ステップＳ１１０、Ｓ１１１）。
【００３０】
次に子機１１４が切断を行うと（ステップＳ１１２）、交換局１０１がこれを受け付け、今度は自身である交換局１０１とコードレスＡＶ出力端末１１５間での回線接続状態に更新し（ステップＳ１１３）、保留状態であったコンテンツＢをコードレスＡＶ出力端末１１５に送信し（ステップＳ１１４）、これを受信したコードレスＡＶ出力端末１１５はその内容を出力する（ステップＳ１１５）。以上が基本原理となっている。
【００３１】
さらに以下では、本放送システムの具体的動作について図３、図４に記した通信シーケンス、及び図５に示す交換局１０１内の制御フローチャートに基づいて説明を加える。子機１１４はＰＨＳとし、ＬＡＮ１２１上に伝送するデジタル音声データ・フォーマットはＡＤＰＣＭとする。さらに、ＬＡＮ１２１に接続している基地局（Ａ）１１２、基地局（Ｂ）１１３、及び交換局１０１には個別のＩＰアドレスが割り当てられ、交換局１０１はすべての基地局のＩＰアドレスを内線テーブル１０３に記憶していることとする。以下では、内線番号「１１１１」の子機１１４を使用して、内線番号「１２３４」のコードレスＡＶ出力端末１１５に所定の放送を出力させる動作を示してあり、図３、図４では、大きく以下の４つのフェーズＰ１〜Ｐ４に分けて説明を行う。
【００３２】
Ｐ１（図３）：子機１１４がコードレスＡＶ出力端末１１５に放送させる「０００１」（チューナ音声）の放送を取得する（コードレスＡＶ出力端末１１５に放送開始させるための前準備）。
Ｐ２（図３）：「０００１」の放送を取得した子機１１４が、コードレスＡＶ出力端末１１５にこれを転送し、コードレスＡＶ出力端末１１５が「０００１」の放送を出力する。
Ｐ３（図４）：子機１１４が「０００１」の放送を出力しているコードレスＡＶ出力端末１１５に接続することで、コードレスＡＶ出力端末１１５の「０００１」の放送出力を停止する（コードレスＡＶ出力端末１１５に放送停止させるための前準備）。
Ｐ４（図４）：子機１１４がコードレスＡＶ出力端末１１５に接続を切断することによりコードレスＡＶ出力端末１１５がアイドル状態に戻る。
【００３３】
図３〜図５を参照して［Ｐ１］〜［Ｐ４］について詳しく説明する。
＜［Ｐ１］：子機がコードレスＡＶ出力端末に放送させる「０００１」（チューナ音声）の放送を取得するフェーズ（コードレスＡＶ出力端末に放送開始させるための前準備）＞
【００３４】
まず、子機１１４を持った使用者がチューナ音声として割り振られた「０００１」の内線番号で発呼する。基地局Ａ（基地局１１２）はこれを受け付け、交換局１０１に発呼する。同時に子機１１４の内線番号「１１１１」及び基地局Ａ自身のＩＰアドレスを送信する。これを着信した交換局１０１は、基地局Ａより発呼要求があったことを確認し（図５のステップＳ１）、発呼元となる基地局ＡのＩＰアドレスを取得する（ステップＳ２）。
【００３５】
交換制御部１０２は内線テーブル１０３を参照して、発呼番号「０００１」を解析し（ステップＳ３）、チューナ音声（放送音声）であることを確認し、チューナ１１１よりその音声を取得する（ステップＳ４）。次に、発呼元である基地局Ａへ接続通知を行い、同時に着呼先である自身のＩＰアドレスを送信する（ステップＳ５）。さらに、交換局１０１では取得したチューナ音声をＡ／Ｄ変換部１０５でデジタル信号化し、符号変換部（１）１０６でＡＤＰＣＭに符号化し、パケット制御部１０７、ＬＡＮＩ／Ｆ１０８を経由して発呼元である基地局（Ａ）１１２にチューナ音声すなわち放送音声を送信する（ステップＳ６）。そして最後に内線テーブル１０３を更新する（ステップＳ７）。これにより交換局１０１が基地局（Ａ）１１２を介して子機「１１１１」に「０００１」の放送を送信する。
【００３６】
一方、ＬＡＮ１２１よりパケットを取得した基地局（Ａ）１１２は、子機１１４に無線回線により放送音声であるＡＤＰＣＭデータを送信する。子機１１４では、基地局（Ａ）１１２より受信したＡＤＰＣＭデータをデコードし、アナログ信号化して、内蔵スピーカにより出力する。以上で、子機１１４を持っている使用者がコードレスＡＶ出力端末１１５に出力させる放送音声を耳で確認することができる。
【００３７】
＜［Ｐ２］：「０００１」の放送を取得した子機１１４が、コードレスＡＶ出力端末１１５にこれを転送し、コードレスＡＶ出力端末１１５が「０００１」の放送を出力するフェーズ＞
子機１１４を持った使用者が「転送」ボタンを押すと、基地局（Ａ）１１２はこの転送を受け付ける。転送先であるコードレスＡＶ出力端末１１５の内線番号「１２３４」を押すと、基地局（Ａ）１１２は交換局１０１に対して転送元である自身のＩＰアドレス、転送を要求した子機１１４の内線番号「１１１１」と共に、転送先番号「１２３４」で転送要求を行う。
【００３８】
交換局１０１は、基地局より転送要求があったことを確認し（図５のステップＳ１）、内線テーブル１０３を参照して、子機「１１１１」に放送音声「０００１」を送信していること認識してこの送信を停止する（ステップＳ１４）。さらに、転送元である基地局（Ａ）１１２のアドレスを取得し（ステップＳ１５）、内線テーブル１０３を参照して転送先番号「１２３４」を解析し（ステップＳ１６）、内線「１２３４」であるコードレスＡＶ出力端末１１５が通信可能である転送先基地局すなわち基地局（Ｂ）１１３のＩＰアドレスを取得する（ステップＳ１７）。そして、基地局（Ｂ）１１３へ接続先番号「１２３４」で発呼し、同時に発呼元（転送元）である基地局（Ａ）１１２のＩＰアドレスを送信する（ステップＳ１８）。
【００３９】
これを着呼した基地局（Ｂ）１１３では、発呼元アドレスすなわち基地局（Ａ）１１２のＩＰアドレスを取得し、接続先番号「１２３４」であるコードレスＡＶ出力端末１１５へ発呼する。これを着信したコードレスＡＶ出力端末１１５は接続応答し、基地局（Ｂ）１１３は接続を確認すると交換局１０１に対して接続を応答する。
【００４０】
転送先基地局（Ｂ）１１３から接続を確認した（ステップＳ１９）交換局１０１は、転送元基地局である基地局（Ａ）１１２に対し接続通知を行い転送先基地局（Ｂ）１１３のＩＰアドレスを送信し（ステップＳ２０）、基地局（Ａ）１１２からの転送実行要求を待つ（ステップＳ２１）。
【００４１】
これにより、基地局（Ａ）１１２と基地局（Ｂ）１１３で互いのＩＰアドレスを取得することになり、互いに接続の確認が行われ、「１１１１」の子機１１４と「１２３４」のコードレスＡＶ出力端末１１５との間で音声通信が確立する。
しかしながら、本システムは放送システムであり、双方向の音声通信は必要がない。
【００４２】
そこで、子機１１４からコードレスＡＶ出力端末１１５への音声は通すこととし、例えば子機１１４を持った使用者が「これより○○の放送を行います。」などのアナウンスを行い、コードレスＡＶ出力端末１１５から子機１１４への音声に関しては、コードレスＡＶ出力端末１１５の代りに基地局（Ｂ）１１３が子機１１４に対して、「放送開始です。」又は「停止受付中です。」などの所定のガイダンスを流し、使用者に次の操作を促すような運用形態が望ましい。なお、上記ガイダンス中の「放送開始」については現在のＰ１、Ｐ２に適用され、「放送停止」についてはＰ３、Ｐ４について適用される表現である。ここで、子機１１４の使用者が「切断」ボタンを押すと、基地局（Ａ）１１２はこれを受け付け、交換局１０１に対して転送実行を要求する。
【００４３】
転送実行要求を待っていた（ステップＳ２１）交換局１０１はこれを受け付け、転送先基地局である基地局（Ｂ）１１３に対して放送開始を通知する（ステップＳ２２）。これを取得した基地局（Ｂ）１１３は基地局（Ａ）１１２に対するガイダンスの送信を中止する。そして、交換局１０１では停止していたチューナ音声出力を、送信先を基地局（Ｂ）１１３に切り換えて再開し（ステップＳ２３）、内線テーブル１０３を更新する（ステップＳ２４）。これにより子機「１１１１」はアイドル状態となり、交換局が基地局（Ｂ）１１３を介して子機（コードレスＡＶ出力端末）「１２３４」に「０００１」の放送を送信する。
【００４４】
また、基地局（Ｂ）１１３に送信されたチューナ音声は、無線回線を通じてコードレスＡＶ出力端末１１５に送信され、スピーカ１１９を介して構内に放送される。以上が、コードレスＡＶ出力端末１１５に放送音声を出力させる際の手順及びシステム動作である。
【００４５】
次に、コードレスＡＶ出力端末１１５が出力中である放送音声出力を停止させる際の手順及びシステム動作を示す。
＜［Ｐ３］：子機が「０００１」の放送を出力しているコードレスＡＶ出力端末に接続することで、コードレスＡＶ出力端末の「０００１」の放送出力を停止するフェーズ（コードレスＡＶ出力端末に放送停止させるための前準備）＞
交換局１０１から送信されたチューナ音声がコードレスＡＶ出力端末１１５より出力されている状態において、子機１１４を持つ使用者がコードレスＡＶ出力端末１１５の内線番号である「１２３４」で発呼する。基地局（Ａ）１１２はこれを受け付け、交換局１０１に発呼する。同時に子機１１４の内線番号「１１１１」及び自身のＩＰアドレスを送信する。
【００４６】
これを着信した交換局１０１は、基地局より発呼要求があったことを確認し（図５のステップＳ１）、発呼元となる基地局（Ａ）１１２のＩＰアドレスを取得する（ステップＳ２）。交換制御部１０２は内線テーブル１０３を参照して、発呼番号「１２３４」を解析し（ステップＳ３）、コードレスＡＶ出力端末１１５に対する発呼であることを確認する。ここで、コードレスＡＶ出力端末１１５が既に放送出力中である場合、放送音声の送信を停止し、交換局１０１とコードレスＡＶ出力端末１１５との間の呼接続状態を開放するため切断する（ステップＳ９）。当然ながらこの切断によりコードレスＡＶ出力端末と基地局（Ｂ）１１３との間の接続も開放される。
【００４７】
次に、交換局１０１は内線テーブル１０３を参照してコードレスＡＶ出力端末１１５が通信可能である基地局（Ｂ）１１３を着呼先基地局とし、これに発呼する。また同時に発呼元である基地局（Ａ）１１２のＩＰアドレス、及び接続先内線番号「１２３４」を送信する（ステップＳ１０）。
【００４８】
着呼した基地局（Ｂ）１１３は、発呼元アドレスである基地局（Ａ）１１２のＩＰアドレスを取得し、コードレスＡＶ出力端末１１５との接続を確認した後、基地局（Ａ）１１２と接続する。
【００４９】
交換局１０１は接続を確認し（ステップＳ１１）、発呼元である基地局（Ａ）１１２に接続通知し、着呼先である基地局（Ｂ）１１３のアドレスを送信し（ステップＳ１２）、内線テーブルを更新する（ステップＳ１３）。これにより子機１１４「１１１１」が基地局（Ａ）１１２、基地局（Ｂ）１１３を介して子機（コードレスＡＶ出力端末１１５）「１２３４」と接続される。
【００５０】
これにより、基地局（Ａ）１１２と基地局（Ｂ）１１３で互いのＩＰアドレスを取得することになり、互いに接続の確認が行われ、「１１１１」の子機１１４と「１２３４」のコードレスＡＶ出力端末１１５で音声通信が確立する。しかしながら、本システムは放送システムであり、双方向の音声通信は必要がない。そこで、子機１１４からコードレスＡＶ出力端末１１５への音声は通すこととし、例えば子機１１４を持った使用者が「以上で○○の放送を終了します。」などのアナウンスを行い、コードレスＡＶ出力端末１１５から子機１１４への音声に関しては、コードレスＡＶ出力端末１１５の代りに基地局（Ｂ）１１３が子機１１４に対して、「放送開始です。」又は「停止受付中です。」などの所定のガイダンスを流し、使用者に次の操作を促すような運用形態が望ましい。
【００５１】
＜［Ｐ４］：子機がコードレスＡＶ出力端末に接続を切断することによりコードレスＡＶ出力端末アイドル状態に戻るフェーズ＞
子機１１４の使用者が「切断」ボタンを押すと、基地局（Ａ）１１２はこれを受け付け、交換局１０１に対して切断を要求する。同時に内線番号「１１１１」を送信する。
【００５２】
これを受け付けた交換局１０１は、基地局より切断要求があったことを確認し（ステップＳ１）、内線番号を解析し（ステップＳ２５）、内線テーブル１０３を参照して接続していた内線番号「１２３４」を取得し（ステップＳ２６）、更にこの子機（コードレスＡＶ出力端末１１５）が属していた基地局（Ｂ）１１３のＩＰアドレスを取得する（ステップＳ２７）。そして切断先である基地局（Ｂ）１１３に対して切断を要求し（ステップＳ２８）、内線テーブルを更新する（ステップＳ２９）。
【００５３】
切断要求を受け付けた基地局（Ｂ）１１３は、子機１１４向けに送信していたガイダンス送信を中止し、コードレスＡＶ出力端末１１５に対して切断を要求する（子機「１１１１」アイドル、子機（コードレスＡＶ出力端末）「１２３４」アイドル）。最後に、切断要求を受け付けたコードレスＡＶ出力端末１１５は切断する。
【００５４】
以上により、使用者は子機１１４をリモコン的に用いて、構内電話の転送制御を基としてコードレスＡＶ出力端末１１５の放送出力開始及び停止を制御することが可能となる。
【００５５】
また、コードレスＡＶ出力端末１１５がある放送を出力中に、異なる内容の放送に変更させたい場合は、更に異なる放送コンテンツの内線番号によりＰ１、Ｐ２の操作を行うことで、交換局１０１が出力中であった放送コンテンツのためのコードレスＡＶ出力端末１１５との回線接続を切断した後、転送する放送コンテンツで回線接続するための発呼をコードレスＡＶ出力端末１１５に対して行い、コードレスＡＶ出力端末１１５が着呼して放送コンテンツを取得することを実現することが可能である。
【００５６】
なお、本実施例では放送コンテンツとして音声コンテンツの提供について説明したが、映像コンテンツについても同様の手順で提供することが可能である。また、音声と映像が混在したＡＶコンテンツについても適用可能である。
【００５７】
＜第２の実施の形態＞
次にコードレスＡＶ出力端末１１５が出力する放送の音量レベルを調整する手順を説明する。まず、あらかじめ交換局１０１の内線テーブルに音量レベル調整のための、付加コード管理領域を設け、内線番号に続くコードとして「＊」は音量レベルアップ、「＃」は音量レベルダウン、更にこれらコードに続く数字を調整度数として、認識できるようにしておく。例えば、Ｐ１、Ｐ２により「０００１」のチューナ音声がコードレスＡＶ出力端末１１５より出力されている場合において、出力音量を２段階大きくしたい場合、子機１１４を持った使用者が出力中の「０００１」に「＊２」の付加コードを付けて発呼する。すなわち、「０００１＊２」で発呼する。
【００５８】
これを着信した交換局１０１では、交換制御部１０２が内線テーブル１０３を参照して、まず内線番号「０００１」のチューナ音声を所望されていることを認識し、更に付加コード「＊２」を認識し２段階の音声レベルアップが必要であることを認識する。そして、チューナ１１１より音声を入力する際、Ａ／Ｄ変換部１０５に音声レベルを２段階アップしたデジタル音声信号を出力するように指示し、これを受けたＡ／Ｄ変換部１０５はレベルアップしたデジタル音声信号を符号変換部（１）１０６に渡す。
【００５９】
以降は第１の実施の形態と同様の手順でコードレスＡＶ出力端末１１５に転送する。このような形態とすることで、コードレスＡＶ出力端末１１５に音量調整する機能を持たせる必要が無いため、制御コマンドを追加する必要はない。
【００６０】
【発明の効果】
以上詳述したように、本発明に係る構内放送システムでは、コードレス電話システムを基として、放送システムを実現することが可能となり、音声伝送路の敷設コスト及びメンテナンス・コストを低減することが可能となる。特に、交換局においてはパソコンで機能を実現することができるため、システムの小規模化が可能となる。
また、コードレスＡＶ出力端末に放送音声を出力させるための手順は、手元の子機で出力させる放送をいったん取得し、これを任意のコードレスＡＶ出力端末に転送するという内線電話の基本機能を基としており、特別な処理を必要とせず、処理の負担を軽微とすることができる。
さらに、コードレスＡＶ出力端末が高所に設置されている場合においても、手元の内線子機を用いて、構内の任意の場所で操作を行うことができ、容易かつ、迅速にシステムを運営することが可能である。
さらに、伝送する音声はデジタル形式で処理が行われるため、クリアな音声を提供することが可能である。
本システムは、構内コードレス電話としての通常用途に加え、ＢＧＭ放送、警報装置、遊技場の案内サービスなどに活用でき、ＬＡＮを無線ＬＡＮに置き換えることで、野外における雑踏の整理、イベントの運営など、様々な用途に拡張することができる。
【図面の簡単な説明】
【図１】本発明に係る構内放送システムの第１の実施の形態を示すブロック図である。
【図２】本発明に係る構内放送システムにおいてコードレスＡＶ出力端末へ放送コンテンツを出力させる基本的なシステム動作のフローチャートである。
【図３】第１の実施の形態のシステムにおいてコードレスＡＶ出力端末から放送を出力させるまでの通信シーケンスを示す説明図である。
【図４】第１の実施の形態のシステムにおいてコードレスＡＶ出力端末からの放送を停止させるまでのシーケンスを示す説明図である。
【図５】第１の実施の形態における交換局の動作を説明するためのフローチャートである。
【図６】従来の放送システムを示す構成図である。
【符号の説明】
１０１  交換局
１０２  交換制御部
１０３  内線テーブル
１０４  ＨＤＤ
１０５  Ａ／Ｄ変換部
１０６、１１７  符号変換部
１０７  パケット制御部
１０８  ＬＡＮインターフェース（Ｉ／Ｆ）
１０９  マイク
１１０  メディアプレーヤ
１１１  チューナ
１１２  基地局Ａ
１１３  基地局Ｂ
１１４  子機
１１５  コードレスＡＶ出力端末
１１６  無線インターフェース（Ｉ／Ｆ）
１１８  アンプ
１１９  スピーカ
１２０  表示部
１２１  ＬＡＮ
【図１】
2004320588.tif 000003
【図２】
2004320588.tif 000004
【図３】
2004320588.tif 000005
【図４】
2004320588.tif 000006
【図５】
2004320588.tif 000007
【図６】
2004320588.tif 000008